(57)【要約】      （修正有）【課題】長期にわたって防草効果を確実に得ることができる防草構造体を提供する。【解決手段】防草構造体１１ａは、第１の頂面および第１の内側壁面２１ａを有する第１の側壁部１６と、第２の頂面２２ｃおよび第２の内側壁面２２ａを有する第２の側壁部１７と、第１の底壁面２３ａを有する底壁部１８と、を含むＵ字溝１２と、第１の頂面上に配置される第１領域を有する防草シート１３と、棒状であって、第３の頂面および第１領域と対向する底面４２ａを有し、底面と第１の頂面とが対向するように第１の頂面に取り付けられる取り付け具１４ａと、第１領域を第１の頂面と取り付け具との間に挟み込むようにして、第１の側壁部と取り付け具とを連結する連結具１５ａ、１５ｂ、１５ｃと、を備える。第１の底壁面２３ａから第１の頂面までの長さは、第１の底壁面から第２の頂面までの長さよりも短い。【選択図】図１
0003231554.tif 000002
【実用新案登録請求の範囲】
【請求項１】
第１の頂面および第１の内側壁面を有する第１の側壁部と、
第２の頂面および前記第１の内側壁面と対向する第２の内側壁面を有し、前記第１の側壁部と間隔をあけて配置される第２の側壁部と、
前記第１の内側壁面および前記第２の内側壁面と連なって配置される第１の底壁面を有し、前記第１の側壁部および前記第２の側壁部と連なって配置される底壁部と、を含むＵ字溝と、
前記第１の頂面上に配置される第１領域を有する防草シートと、
棒状であって、第３の頂面および前記第１領域と対向する底面を有し、前記底面と前記第１の頂面とが対向するように前記第１の頂面に取り付けられる取り付け具と、
前記第１領域を前記第１の頂面と前記取り付け具との間に挟み込むようにして、前記第１の側壁部と前記取り付け具とを連結する連結具と、を備え、
前記第１の底壁面から前記第１の頂面までの長さは、前記第１の底壁面から前記第２の頂面までの長さよりも短い、防草構造体。
【請求項２】
長手方向に垂直な断面において、前記取り付け具の外形形状は、矩形状である、請求項１に記載の防草構造体。
【請求項３】
前記第１の底壁面から前記第２の頂面までの長さは、前記第１の底壁面から前記第３の頂面までの長さと、等しい、請求項１または請求項２に記載の防草構造体。
【請求項４】
前記取り付け具には、長手方向に交差する方向に貫通する排水孔が形成されている、請求項１から請求項３のいずれか１項に記載の防草構造体。
【請求項５】
前記排水孔は、長手方向に間隔をあけて複数形成されている、請求項４に記載の防草構造体。
【請求項６】
前記排水孔は、前記底面に開口を有するよう形成されている、請求項４または請求項５に記載の防草構造体。
【請求項７】
前記取り付け具の材質は、コンクリート、木、樹脂および金属のうちの少なくともいずれか一つである、請求項１から請求項６のいずれか１項に記載の防草構造体。
【請求項８】
前記連結具は、それぞれ頭部およびねじ山が設けられた胴部を含み、前記長手方向に間隔をあけて配置される複数のボルトを含み、
前記第１の頂面には、前記長手方向に間隔をあけて配置され、前記ボルトを締結する複数のボルト穴が形成されており、
前記第１領域には、前記長手方向に間隔をあけて配置され、前記胴部が通過可能な複数の第１貫通孔が形成されており、
前記取り付け具には、長手方向に前記複数の第１貫通孔と同じ間隔をあけて配置され、前記胴部が通過可能な複数の第２貫通孔が形成されている、請求項１から請求項７のいずれか１項に記載の防草構造体。
【考案の詳細な説明】
【技術分野】
【０００１】
本考案は、防草構造体に関するものである。
【背景技術】
【０００２】
Ｕ字溝に防草シートを取り付けた防草構造体に関する技術が特許文献１に開示されている。特許文献１に開示の防草構造体によると、Ｕ字溝の一方の頂部に穴を設けて、防草シートの端部をピンで取り付けている。
【先行技術文献】
【特許文献】
【０００３】
【特許文献１】特開２００９−１７９９９４号公報
【考案の概要】
【考案が解決しようとする課題】
【０００４】
特許文献１に開示の防草構造体では、長期にわたって使用すると、防草シートの端部が反り上がり、防草シートの端部とＵ字溝の頂部との間に隙間ができてしまう。そうすると、この隙間から雑草が生えることになってしまう。また、この隙間に強風が吹き当たると、防草シートが捲れ上がったり、防草シートが破れたりするおそれもある。このような状況では、長期にわたって防草効果を得ることができない。
【０００５】
この考案の目的は、長期にわたって防草効果を確実に得ることができる防草構造体を提供することである。
【課題を解決するための手段】
【０００６】
本考案の防草構造体は、第１の頂面および第１の内側壁面を有する第１の側壁部と、第２の頂面および第１の内側壁面と対向する第２の内側壁面を有し、第１の側壁部と間隔をあけて配置される第２の側壁部と、第１の内側壁面および第２の内側壁面と連なって配置される第１の底壁面を有し、第１の側壁部および第２の側壁部と連なって配置される底壁部と、を含むＵ字溝と、第１の頂面上に配置される第１領域を有する防草シートと、棒状であって、第３の頂面および第１領域と対向する底面を有し、底面と第１の頂面とが対向するように第１の頂面に取り付けられる取り付け具と、第１領域を第１の頂面と取り付け具との間に挟み込むようにして、第１の側壁部と取り付け具とを連結する連結具と、を備える。第１の底壁面から第１の頂面までの長さは、第１の底壁面から第２の頂面までの長さよりも短い。
【考案の効果】
【０００７】
このような構成の防草構造体によれば、長期にわたって防草効果を確実に得ることができる。
【図面の簡単な説明】
【０００８】
【図１】図１は、実施の形態１に係る防草構造体の外観を示す斜視図である。
【図２】図２は、図１に示す防草構造体の側面図である。
【図３】図３は、図１に示す防草構造体の上面図である。
【図４】図４は、図３中のＩＶ−ＩＶで示す線分で切断した場合の防草構造体の断面図である。
【図５】図５は、図１に示す防草構造体の分解斜視図である。
【図６】図６は、図２に示す防草構造体の分解側面図である。
【図７】図７は、図４に示す防草構造体の分解断面図である。
【図８】図８は、実施の形態２に係る防草構造体の外観を示す斜視図である。
【図９】図９は、図８に示す防草構造体の側面図である。
【図１０】図１０は、実施の形態３に係る防草構造体の外観を示す斜視図である。
【図１１】図１１は、図１０に示す防草構造体に含まれる取り付け具の側面図である。
【図１２】図１２は、図１１に示す取り付け具の外観を示す斜視図である。
【考案を実施するための形態】
【０００９】
［本考案の実施形態の説明］
最初に本考案の実施態様を列記して説明する。本考案の防草構造体は、第１の頂面および第１の内側壁面を有する第１の側壁部と、第２の頂面および第１の内側壁面と対向する第２の内側壁面を有し、第１の側壁部と間隔をあけて配置される第２の側壁部と、第１の内側壁面および第２の内側壁面と連なって配置される第１の底壁面を有し、第１の側壁部および第２の側壁部と連なって配置される底壁部と、を含むＵ字溝と、第１の頂面上に配置される第１領域を有する防草シートと、棒状であって、第３の頂面および第１領域と対向する底面を有し、底面と第１の頂面とが対向するように第１の頂面に取り付けられる取り付け具と、第１領域を第１の頂面と取り付け具との間に挟み込むようにして、第１の側壁部と取り付け具とを連結する連結具と、を備える。第１の底壁面から第１の頂面までの長さは、第１の底壁面から第２の頂面までの長さよりも短い。
【００１０】
本考案の防草構造体によると、第１の側壁部に含まれる第１の頂面と取り付け具との間に挟み込むようにして防草シートが取り付けられている。ここで、取り付け具は、棒状であるため、防草シートをいわゆる線で押さえて取り付けることができる。よって、防草シートとＵ字溝との間に大きな隙間が生じるおそれを低減することができる。また、第１の底壁面から第１の頂面までの長さは、第１の底壁面から第２の頂面までの長さよりも短いため、取り付け具を取り付けた状態において、第１の側壁部側の高さと、第２の側壁部側の高さとを揃えやすい。よって、Ｕ字溝内を流れる流体の流量が低下するおそれを低減して、長期的な使用を促進することができる。したがって、このような構成の防草構造体によれば、長期にわたって防草効果を確実に得ることができる。
【００１１】
上記防草構造体においては、長手方向に垂直な断面において、取り付け具の外形形状は、矩形状であってもよい。このようにすることにより、防草シートを面で押さえることができる。よって、防草シートの捲れ上がりといった現象をより確実に抑制することができる。したがって、より確実に防草効果を長期にわたって得ることができる。
【００１２】
上記防草構造体において、第１の底壁面から第２の頂面までの長さは、第１の底壁面から第３の頂面までの長さと、等しくてもよい。このようにすることにより、Ｕ字溝を横から見た場合の第１の側壁部側の長さと第２の側壁部側の長さとを等しくすることができる。よって、外見上の見栄えを良くすることができると共に、Ｕ字溝内を流れる流体が第１の側壁部または第２の側壁部のいずれか一方側から溢れるおそれを抑制することができる。
【００１３】
上記防草構造体において、取り付け具には、長手方向に交差する方向に貫通する排水孔が形成されていてもよい。このようにすることにより、防草シート上に溜まった雨水等の液体を、排水孔を通してＵ字溝側に排水することができる。よって、防草シート上に溜まった液体の積極的な排水を促進することができる。
【００１４】
上記防草構造体において、排水孔は、長手方向に間隔をあけて複数形成されていてもよい。このようにすることにより、複数の排水孔を利用して広い領域から積極的に排水を行うことができ、より効率的な排水を実現することができる。
【００１５】
上記防草構造体において、底面に開口を有するよう形成されていてもよい。このようにすることにより、防草シート上に溜まった微量の雨水等であっても底面に開口を有する排水孔を利用して積極的に排水を行うことができ、より防草シート上に液体が溜まりにくい構造を実現することができる。
【００１６】
上記防草構造体において、取り付け具の材質は、コンクリート、木、樹脂および金属のうちの少なくともいずれか一つであってもよい。このようにすることにより、要望する取り扱い性や対環境性、コスト、作業性等に応じた構造を実現することができる。
【００１７】
上記防草構造体において、連結具は、それぞれ頭部およびねじ山が設けられた胴部を含み、長手方向に間隔をあけて配置される複数のボルトを含んでもよい。第１の頂面には、長手方向に間隔をあけて配置され、ボルトを締結する複数のボルト穴が形成されていてもよい。第１領域には、長手方向に間隔をあけて配置され、胴部が通過可能な複数の第１貫通孔が形成されていてもよい。取り付け具には、長手方向に複数の第１貫通孔と同じ間隔をあけて配置され、胴部が通過可能な複数の第２貫通孔が形成されていてもよい。このようにすることにより、形成されたボルト穴、第１貫通孔および第２貫通孔を利用して、より確実に連結具により取り付け具と第１の頂面との間に防草シートを挟み込んで、防草シートをＵ字溝に取り付けることができる。
【００１８】
［本考案の実施形態の詳細］
次に、本考案に係る防草構造体の一実施の形態を、図面を参照しつつ説明する。以下の図面において同一または相当する部分には同一の参照番号を付しその説明は繰返さない。
【００１９】
（実施の形態１）
図１は、実施の形態１に係る防草構造体の外観を示す斜視図である。図２は、図１に示す防草構造体の側面図である。図３は、図１に示す防草構造体の上面図である。図４は、図３中のＩＶ−ＩＶで示す線分で切断した場合の防草構造体の断面図である。図５は、図１に示す防草構造体の分解斜視図である。図６は、図２に示す防草構造体の分解側面図である。図７は、図４に示す防草構造体の分解断面図である。図１〜図５中において、後述する防草シートの厚さ方向は、Ｚ方向で示される。また、矢印Ｚで示す向きと反対の向きが、防草構造体の設置時における鉛直方向下向きとなる。なお、図４において、設置個所の地面を図示している。
【００２０】
図１〜図７を参照して、本実施形態に係る防草構造体１１ａは、Ｕ字溝１２と、防草シート１３と、取り付け具１４ａと、連結具としてのボルト１５ａ，１５ｂ，１５ｃと、を備える。ボルト１５ａには、頭部５１およびねじ山が設けられた胴部５２を含む。ボルト１５ｂ，１５ｃの構成は、ボルト１５ａと同様の構成であるため、それらの説明を省略する。防草構造体１１ａは、Ｕ字溝１２の部分を予め設置個所に設けられた凹溝６３に嵌め込むことにより設置個所に取り付けられる。防草シート１３が配置される領域は、使用者が防草、すなわち、雑草が生えないよう望む領域となる。本実施形態においては、Ｕ字溝１２よりも矢印Ｙで示す向き側に位置する領域である。
【００２１】
まず、Ｕ字溝１２の構造について説明する。Ｕ字溝１２は、例えばコンクリート製である。Ｕ字溝１２は、Ｘ方向を長手方向とするように溝状に延びる形状である。Ｕ字溝１２のＸ方向の長さは、Ｕ字溝１２の長手方向の一方側の端面２５から長手方向の他方側の端面２６までの長さＤ１で示される（特に図３参照）。Ｕ字溝１２は、長手方向に見て（Ｘ方向に見て）Ｕ字状である。
【００２２】
Ｕ字溝１２は、第１の側壁部１６と、第２の側壁部１７と、底壁部１８と、を含む。第１の側壁部１６、第２の側壁部１７および底壁部１８はそれぞれ、平板状である。第２の側壁部１７は、第１の側壁部１６とＹ方向に間隔をあけて配置される。底壁部１８は、第１の側壁部１６および第２の側壁部１７と連なって配置される。第１の側壁部１６および第２の側壁部１７は、底壁部１８のＹ方向の両端部からそれぞれ立設するように配置される。
【００２３】
第１の側壁部１６は、第１の内側壁面２１ａと、第１の外側壁面２１ｂと、第１の頂面２１ｃと、を有する。第２の側壁部１７は、第２の内側壁面２２ａと、第２の外側壁面２２ｂと、第２の頂面２２ｃと、を有する。第２の内側壁面２２ａは、第１の内側壁面２１ａに対向している。第１の内側壁面２１ａ、第１の外側壁面２１ｂ、第２の内側壁面２２ａおよび第２の外側壁面２２ｂはそれぞれ、Ｘ−Ｚ平面に沿う平面を有する。第１の頂面２１ｃおよび第２の頂面２２ｃはそれぞれ、Ｘ−Ｙ平面に沿う平面を有する。Ｕ字溝１２のＹ方向の長さは、第１の外側壁面２１ｂから第２の外側壁面２２ｂまでの長さＤ２で示される。第１の頂面２１ｃには、長手方向であるＸ方向に間隔をあけて配置され、ボルト１５ａ，１５ｂ，１５ｃを締結する複数のボルト穴２７ａ，２７ｂ，２７ｃが形成されている。
【００２４】
底壁部１８は、第１の底壁面２３ａと、第２の底壁面２３ｂと、を有する。第１の底壁面２３ａは、第１の内側壁面２１ａおよび第２の内側壁面２２ａと連なって配置される。第１の底壁面２３ａおよび第２の底壁面２３ｂはそれぞれ、Ｘ−Ｙ平面に沿う平面を有する。第１の内側壁面２１ａと第１の底壁面２３ａとは、滑らかな曲面、具体的には円弧面で連なっている。第２の内側壁面２２ａと第１の底壁面２３ａとも、滑らかな曲面、具体的には円弧面で連なっている。第１の外側壁面２１ｂと第２の底壁面２３ｂとの境界および第２の外側壁面２２ｂと第２の底壁面２３ｂとの境界にはそれぞれ、面取りが施されている。
【００２５】
第１の内側壁面２１ａ、第２の内側壁面２２ａおよび第１の底壁面２３ａによって囲まれる空間１９を、排水といった流体がＸ方向に流れる。防草構造体１１ａが設置個所に設置される際には、設置個所に設けられた凹溝６３にＵ字溝１２が嵌め込まれるようにして設置される。この時、第１の外側壁面２１ｂ、第２の外側壁面２２ｂおよび第２の底壁面２３ｂが設置個所の凹溝６３と接触するようにして設置される。第１の側壁部１６および第２の側壁部１７の構成については、後に詳述する。
【００２６】
次に、防草シート１３の構成について説明する。防草シート１３は、適度な柔軟性を有するシート状である。防草シート１３は、防草機能、すなわち、防草シート１３によって覆われている地面６１の地表６２に太陽光等を透過しない機能を有する。防草シート１３は、厚さ方向の一方側に位置する第１の面３１と、厚さ方向の他方側に位置する第２の面３２と、を含む。防草シート１３の厚さは、第１の面３１から第２の面３２までの長さＬ４によって示される。第１の面３１は、防草構造体１１ａを設置した際に、露出する平面である。第２の面３２は、防草構造体１１ａを設置した際に、地面６１の地表６２に対向する面である。すなわち、防草構造体１１ａは、防草シート１３により、防草したい地面６１の地表６２を覆うよう設置される。
【００２７】
防草シート１３は、厚さ方向であるＺ方向に見て、矩形状である。防草シート１３のＹ方向の長さは、防草シート１３のＹ方向の一方側の端部３３からＹ方向の他方側の端部３４までの長さＤ３で示される。防草シート１３のＸ方向の長さは、防草シート１３のＸ方向の一方側の端部３５からＸ方向の他方側の端部３６までの長さＤ４で示される。本実施形態においては、長さＤ４は、長さＤ３よりも長く構成されている。また、本実施形態においては、長さＤ４は、長さＤ１よりも長く構成されている。また、Ｚ方向に見て、防草シート１３のＹ方向の一方側の端部３３は、第１の内側壁面２１ａとＹ方向の位置が揃うように構成されている。
【００２８】
防草シート１３は、第１の頂面２１ｃ上に配置される第１領域３８を有する。本実施形態においては、第１領域３８は、防草シート１３のＹ方向の一方側の端部３３を含むように構成されている。第１領域３８の外形形状は、Ｚ方向に見て矩形状である。第１領域３８には、長手方向であるＸ方向に間隔をあけて配置され、胴部５２が通過可能な複数の第１貫通孔３７ａ，３７ｂ，３７ｃが形成されている。第１貫通孔３７ａ，３７ｂ，３７ｃは、第１の面３１および第２の面３２に開口を有するよう形成されている。すなわち、第１貫通孔３７ａ，３７ｂ，３７ｃは、Ｚ方向に貫通している。第１貫通孔３７ａ，３７ｂ，３７ｃ同士の間隔は、ボルト穴２７ａ，２７ｂ，２７ｃ同士の間隔と同じとなるよう構成されている。
【００２９】
次に、取り付け具１４ａの構成について説明する。取り付け具１４ａは、木製である。すなわち、取り付け具１４ａの材質は、木である。取り付け具１４ａは、棒状である。長手方向であるＸ方向に垂直な断面において、取り付け具１４ａの外形形状は、矩形状である。具体的には、本実施形態においては、取り付け具１４ａは、角材である。
【００３０】
取り付け具１４ａは、厚さ方向であるＺ方向の一方側に位置する第３の頂面４１ａと、厚さ方向の他方側に位置する底面４２ａと、を含む。取り付け具１４ａは、底面４２ａが第１領域３８と対向するように配置される。取り付け具１４ａの厚さは、第３の頂面４１ａから底面４２ａまでの長さＬ５によって示される。取り付け具１４ａのＹ方向の長さは、取り付け具１４ａのＹ方向の一方側の端面４３ａからＹ方向の他方側の端面４４ａまでの長さＤ５で示される。長さＤ５は、端部３３からの第１領域３８の長さに相当する。本実施形態においては、取り付け具１４ａのＸ方向の長さ、すなわち、取り付け具１４ａのＸ方向の一方側の端面４５ａからＸ方向の他方側の端面４６ａまでの長さは、Ｕ字溝１２のＸ方向の長さＤ１と同じとなるよう構成されている。また、取り付け具１４ａのＹ方向の一方側の端面４３ａは、第１の内側壁面２１ａおよび防草シート１３のＹ方向の一方側の端部３３のそれぞれとＹ方向の位置が揃うように構成されている。
【００３１】
取り付け具１４ａには、長手方向に複数の第１貫通孔３７ａ，３７ｂ，３７ｃと同じ間隔をあけて配置され、胴部５２が通過可能な複数の第２貫通孔４７ａ，４７ｂ，４７ｃが形成されている。すなわち、Ｘ方向において、ボルト穴２７ａ，２７ｂ，２７ｃが形成されている間隔と、第１貫通孔３７ａ，３７ｂ，３７ｃが形成されている間隔と、第２貫通孔４７ａ，４７ｂ，４７ｃが形成されている間隔とは、それぞれ等しく構成されている。第２貫通孔４７ａ，４７ｂ，４７ｃは、第３の頂面４１ａおよび底面４２ａに開口を有するよう形成されている。すなわち、第２貫通孔４７ａ，４７ｂ，４７ｃは、Ｚ方向に貫通している。
【００３２】
ここで、上記したＵ字溝１２の構成において、第１の底壁面２３ａから第１の頂面２１ｃまでの長さＬ１は、第１の底壁面２３ａから第２の頂面２２ｃまでの長さＬ２よりも短い。また、第１の底壁面２３ａから第２の頂面２２ｃまでの長さＬ２は、第１の底壁面２３ａから第３の頂面４１ａまでの長さＬ３と、等しい。すなわち、第１の底壁面２３ａから第１の頂面２１ｃまでの長さＬ１と、防草シート１３の厚さである長さＬ４と、取り付け具１４ａの厚さである長さＬ５を足し合わせた長さと、長さＬ２とが等しくなるよう構成されている。なお、長さＬ１、長さＬ２、長さＬ３、長さＬ４、長さＬ５、長さＤ１、長さＤ２および長さＤ５の具体的な値としては、例えば、Ｌ１＝１３５ｍｍ、Ｌ２＝１５０ｍｍ、Ｌ３＝１５０ｍｍ、Ｌ４＝２ｍｍ、Ｌ５＝１３ｍｍ、Ｄ１＝６００ｍｍ、Ｄ２＝２１０ｍｍ、Ｄ５＝３０ｍｍの値やＬ１＝２２５ｍｍ、Ｌ２＝２４０ｍｍ、Ｌ３＝２４０ｍｍ、Ｌ４＝２ｍｍ、Ｌ５＝１３ｍｍ、Ｄ１＝６００ｍｍ、Ｄ２＝３８０ｍｍ、Ｄ５＝５０ｍｍの値、Ｌ１＝２８５ｍｍ、Ｌ２＝３００ｍｍ、Ｌ３＝３００ｍｍ、Ｌ４＝２ｍｍ、Ｌ５＝１３ｍｍ、Ｄ１＝６００ｍｍ、Ｄ２＝３８０ｍｍ、Ｄ５＝５０ｍｍ、さらにはＬ１＝３４５ｍｍ、Ｌ２＝３６０ｍｍ、Ｌ３＝３６０ｍｍ、Ｌ４＝２ｍｍ、Ｌ５＝１３ｍｍ、Ｄ１＝６００ｍｍ、Ｄ２＝４４０ｍｍ、Ｄ５＝５０ｍｍの値やＬ１＝５８５ｍｍ、Ｌ２＝６００ｍｍ、Ｌ３＝６００ｍｍ、Ｌ４＝２ｍｍ、Ｌ５＝１３ｍｍ、Ｄ１＝６００ｍｍ、Ｄ２＝７００ｍｍ、Ｄ５＝７０ｍｍの値が用いられる。また、長さＤ３および長さＤ４の具体的な値としては、例えば、Ｄ３＝５００ｍｍ〜５００００ｍｍの間の任意の値およびＤ４＝５００ｍｍ〜５０００ｍｍの間の任意の値が選択されてもよい。
【００３３】
次に、防草構造体１１ａの設置について簡単に説明する。まず、上記構成の各部材、具体的には、Ｕ字溝１２、防草シート１３、取り付け具１４ａおよびボルト１５ａ，１５ｂ，１５ｃを準備する。そして、Ｕ字溝１２を、設置個所に設けられた凹溝６３に取り付ける。この場合、防草したい地面６１が第１の側壁部１６側に位置するようにＵ字溝１２を取り付ける。次に、Ｕ字溝１２の第１の側壁部１６の第１の頂面２１ｃに形成されたボルト穴２７ａ，２７ｂ，２７ｃの位置と防草シート１３の第１貫通孔３７ａ，３７ｂ，３７ｃの位置とが重なるように防草シート１３を配置する。その後、第１貫通孔３７ａ，３７ｂ，３７ｃの位置と取り付け具１４ａの第２貫通孔４７ａ，４７ｂ，４７ｃの位置とが重なるように取り付け具１４ａを配置する。この場合、取り付け具１４ａは、防草シート１３の第１領域３８上に配置されることとなる。次に、ボルト１５ａ，１５ｂ，１５ｃのそれぞれの胴部５２を、第２貫通孔４７ａ，４７ｂ，４７ｃおよび第１貫通孔３７ａ，３７ｂ，３７ｃに挿通させ、ボルト穴２７ａ，２７ｂ，２７ｃに締結する。ここで、第１の頂面２１ｃと取り付け具１４ａの底面４２ａとの間に防草シート１３の第１領域３８が挟み込むようにして、防草シート１３がＵ字溝１２に取り付ける。このようにして、防草構造体１１ａを設置する。本実施形態においては、地表６２の高さが、取り付け具１４ａの第３の頂面４１ａよりも高くなっている。
【００３４】
このような防草構造体１１ａによれば、第１の側壁部１６に含まれる第１の頂面２１ｃと取り付け具１４ａとの間に挟み込むようにして防草シート１３が取り付けられている。ここで、取り付け具１４ａは、棒状であるため、防草シート１３をいわゆる線で押さえて取り付けることができる。よって、防草シート１３とＵ字溝１２との間、具体的には、Ｙ方向に見て、防草シート１３の第１領域３８における第２の面３２と第１の頂面２１ｃとの間に大きな隙間が生じるおそれを低減することができる。また、第１の底壁面２３ａから第１の頂面２１ｃまでの長さＬ１は、第１の底壁面２３ａから第２の頂面２２ｃまでの長さＬ２よりも短いため、取り付け具１４ａを取り付けた状態において、第１の側壁部１６側の高さと、第２の側壁部１７側の高さとを揃えやすい。よって、Ｕ字溝１２内を流れる流体の流量が低下するおそれを低減して、長期的な使用を促進することができる。したがって、このような構成の防草構造体１１ａによれば、長期にわたって防草効果を確実に得ることができる。
【００３５】
上記防草構造体１１ａによると、長手方向に垂直な断面において、取り付け具１４ａの外形形状は、矩形状である。よって、このような防草構造体１１ａは、防草シート１３を面、具体的には、取り付け具１４ａの底面４２ａで押さえることができる。よって、防草シート１３の捲れ上がりといった現象をより確実に抑制することができる。したがって、このような防草構造体１１ａは、より確実に防草効果を長期にわたって得ることができる防草構造体となっている。
【００３６】
上記防草構造体１１ａによると、第１の底壁面２３ａから第２の頂面２２ｃまでの長さＬ２は、第１の底壁面２３ａから第３の頂面４１ａまでの長さＬ３と、等しい。よって、Ｕ字溝１２を横から見た場合の第１の側壁部１６側の長さと第２の側壁部１７側の長さとを等しくすることができる。よって、このような防草構造体１１ａは、外見上の見栄えを良くすることができると共に、Ｕ字溝１２内を流れる流体が第１の側壁部１６または第２の側壁部１７のいずれか一方側から溢れるおそれを抑制することができる防草構造体となっている。
【００３７】
上記防草構造体１１ａによると、取り付け具１４ａは、木製である。このようにすることにより、防草構造体１１ａ全体を安価に構成することができると共に、取り扱い性や対環境性、例えば第２貫通孔４７ａ，４７ｂ，４７ｃを形成しやすい等、作業性を向上することができる。
【００３８】
上記防草構造体１１ａにおいては、連結具は、それぞれ頭部５１およびねじ山が設けられた胴部５２を含み、長手方向に間隔をあけて配置される複数のボルト１５ａ，１５ｂ，１５ｃである。また、第１の頂面２１ｃには、長手方向に間隔をあけて配置され、ボルト１５ａ，１５ｂ，１５ｃを締結する複数のボルト穴２７ａ，２７ｂ，２７ｃが形成されている。また、第１領域３８には、長手方向に間隔をあけて配置され、胴部５２が通過可能な複数の第１貫通孔３７ａ，３７ｂ，３７ｃが形成されている。また、取り付け具１４ａには、長手方向に複数の第１貫通孔３７ａ，３７ｂ，３７ｃと同じ間隔をあけて配置され、胴部５２が通過可能な複数の第２貫通孔４７ａ，４７ｂ，４７ｃが形成されている。よって、このような防草構造体１１ａは、形成されたボルト穴２７ａ，２７ｂ，２７ｃ、第１貫通孔３７ａ，３７ｂ，３７ｃおよび第２貫通孔４７ａ，４７ｂ，４７ｃを利用して、より確実にボルト１５ａ，１５ｂ，１５ｃにより取り付け具１４ａと第１の頂面２１ｃとの間に防草シート１３を挟み込んで、防草シート１３をＵ字溝１２に取り付けることができる防草構造体となっている。
【００３９】
なお、上記の実施の形態においては、Ｕ字溝１２を設置個所に設けられた凹溝６３に取り付けた後に、防草シート１３および取り付け具１４ａをボルト１５ａ，１５ｂ，１５ｃによりＵ字溝１２に取り付けることとしたが、これに限らず、予めＵ字溝１２に防草シート１３および取り付け具１４ａをボルト１５ａ，１５ｂ，１５ｃにより取り付けた後に、設置個所に設けられた凹溝６３にＵ字溝１２を取り付けるようにしてもよい。また、地面６１の地表６２の高さが、第３の頂面４１ａの高さよりも低い構成としてもよい。
【００４０】
また、上記の実施の形態においては、第１の底壁面２３ａから第２の頂面２２ｃまでの長さＬ２は、第１の底壁面２３ａから第３の頂面４１ａまでの長さＬ３と、等しくなるよう構成したが、これに限らず、実際の流体の流れ等に基づいて、長さＬ２と長さＬ３とが異なる構成、例えば長さＬ３の方が長さＬ２よりも長くなる構成を採用してもよい。
【００４１】
なお、上記の実施の形態においては、防草シート１３において、Ｘ方向の長さＬ４は、Ｙ方向の長さＬ３よりも長くなるよう構成したが、これに限らず、同じ長さとしてもよい。この場合、端面２５と端部３５と端面４５ａ、端面２６と端部３６と端面４６ａとがＸ方向において揃うこととなる。
【００４２】
（実施の形態２）
次に、他の実施の形態である実施の形態２について説明する。図８は、実施の形態２に係る防草構造体の外観を示す斜視図である。図９は、図８に示す防草構造体の側面図である。実施の形態２の防草構造体は、取り付け具の厚さ方向の長さが異なる点において、実施の形態１の場合と異なっている。
【００４３】
図８および図９を参照して、実施の形態２の防草構造体１１ｂに含まれるの取り付け具１４ｂは、厚さ方向であるＺ方向の一方側に位置する第３の頂面４１ｂと、厚さ方向の他方側に位置する底面４２ｂと、を含む。取り付け具１４ｂは、底面４２ｂが第１領域３８と対向するように配置される。取り付け具１４ｂの厚さは、第３の頂面４１ｂから底面４２ｂまでの長さＬ７によって示される。長さＬ７は、実施の形態１における取り付け具１４ａの厚さである長さＬ５よりも短い。取り付け具１４ｂのＹ方向の長さは、取り付け具１４ｂのＹ方向の一方側の端面４３ｂからＹ方向の他方側の端面４４ｂまでの長さであり、実施の形態１における長さＤ５と同じである。取り付け具１４ｂのＸ方向の長さ、すなわち、取り付け具１４ｂのＸ方向の一方側の端面４５ｂからＸ方向の他方側の端面４６ｂまでの長さは、実施の形態１におけるＤ１と同じである。
【００４４】
本実施形態においては、長さＬ７は、実施の形態１における取り付け具１４ａの厚さである長さＬ５よりも短い。そして、第１の底壁面２３ａから第３の頂面４１ｂまでの長さＬ６は、第１の底壁面２３ａから第２の頂面２２ｃまでの長さＬ２よりも短い。よって、例えば防草シート１３の第１の面３１上に溜まった雨水等が取り付け具１４ｂの第３の頂面４１ｂを乗り越えて、Ｕ字溝１２内に流れ込みやすくすることができる。したがって、防草シート１３の第１の面３１上に多量の雨水等が溜まりやすい状況等においてこのような構成を採用することにより、防草シート１３側からの効率的な排水等を行うことができる。
【００４５】
（実施の形態３）
次に、さらに他の実施の形態である実施の形態３について説明する。図１０は、実施の形態３に係る防草構造体の外観を示す斜視図である。図１１は、図１０に示す防草構造体に含まれる取り付け具の側面図である。図１２は、図１１に示す取り付け具の外観を示す斜視図である。実施の形態３の防草構造体は、取り付け具に排水孔が形成されている点において、実施の形態１の場合と異なっている。
【００４６】
図１０、図１１および図１２を参照して、実施の形態３の防草構造体１１ｃに含まれるの取り付け具１４ｃは、厚さ方向であるＺ方向の一方側に位置する第３の頂面４１ｃと、厚さ方向の他方側に位置する底面４２ｃと、を含む。取り付け具１４ｃは、底面４２ｃが第１領域３８と対向するように配置される。取り付け具１４ｃの厚さ、すなわち、第３の頂面４１ｃから底面４２ｃまでの長さは、実施の形態１の取り付け具１４ａの長さＬ５と同じである。取り付け具１４ｃのＹ方向の長さは、取り付け具１４ｃのＹ方向の一方側の端面４３ｃからＹ方向の他方側の端面４４ｃまでの長さであり、実施の形態１における長さＤ５と同じである。取り付け具１４ｃのＸ方向の長さ、すなわち、取り付け具１４ｃのＸ方向の一方側の端面４５ｃからＸ方向の他方側の端面４６ｃまでの長さは、実施の形態１におけるＤ１と同じである。
【００４７】
本実施形態においては、取り付け具１４ｃには、長手方向に交差する方向に貫通する排水孔４８ａ，４８ｂ，４８ｃ，４８ｄが形成されている。すなわち、排水孔４８ａ〜４８ｄはそれぞれ、端面４３ｃに一方の開口を有し、端面４４ｃに他方の開口を有する。排水孔４８ａ〜４８ｄはそれぞれ、長手方向に直交する方向に貫通している。排水孔４８ａ〜４８ｄは、長手方向に間隔をあけて複数形成されている。本実施形態においては、排水孔４８ａ〜４８ｄは、取り付け具１４ｃの長手方向であるＸ方向に間隔をあけて４つ設けられている。排水孔４８ａ，４８ｂは、Ｘ方向において、第２貫通孔４７ａと第２貫通孔４７ｂとの間に配置されている。排水孔４８ｃ，４８ｄは、Ｘ方向において、第２貫通孔４７ｂと第２貫通孔４７ｃとの間に配置されている。排水孔４８ａ〜４８ｄはそれぞれ、底面４２ｃに開口を有するよう形成されている。排水孔４８ａ〜４８ｄの縁はそれぞれ、Ｙ方向に見て、コの字状である。具体的には、排水孔４８ａ〜４８ｄはそれぞれ、Ｙ−Ｚ平面に沿う形状であり、底面４２ｃと連なる一対の側壁面と、Ｘ−Ｙ平面に沿う形状であり、一対の側壁面と連なる底壁面と、によって規定される。
【００４８】
このような防草構造体１１ｃにおいては、防草シート１３上に溜まった雨水等の液体を、排水孔４８ａ〜４８ｄを通してＵ字溝１２側に排水することができる。よって、防草シート１３上に溜まった液体の積極的な排水を促進することができる。
【００４９】
また、上記防草構造体１１ｃにおいては、排水孔４８ａ〜４８ｄは、長手方向に間隔をあけて複数形成されている。したがって、複数の排水孔４８ａ〜４８ｄを利用して広い領域から積極的に排水を行うことができ、より効率的な排水を実現することができる。
【００５０】
また、上記防草構造体１１ｃにおいては、排水孔４８ａ〜４８ｄはそれぞれ、底面４２ｃに開口を有するよう形成されている。したがって、防草シート１３上に溜まった微量の雨水等であっても底面４２ｃに開口を有する排水孔４８ａ〜４８ｄを利用して積極的に排水を行うことができ、より防草シート１３上に液体が溜まりにくい構造を実現することができる。
【００５１】
（他の実施の形態）
また、上記の実施の形態においては、取り付け具を木製とすることにしたが、これに限らず、例えば取り付け具をコンクリート製や金属製、樹脂製としてもよい。すなわち、取り付け具の材質は、コンクリート、木、樹脂および金属のうちの少なくともいずれか一つであってもよい。このようにすることにより、要望する取り扱い性や対環境性、コスト、作業性等に応じた構造を実現することができる。
【００５２】
なお、上記の実施の形態においては、上記の実施の形態においては、連結具としてボルトを用いることとしたが、これに限らず、連結具として他の部材、例えば、ビスや釘、杭等を用いることとしてもよい。
【００５３】
また、上記の実施の形態においては、長手方向に垂直な断面において、取り付け具の外形形状は、矩形状であることとしたが、これに限らず、他の形状、例えば外形形状が丸状や楕円状、三角状や六角状等の多角形状としてもよい。また、複数の棒状部材を長手方向であるＸ方向に連結して一つの取り付け具として構成してもよい。
【００５４】
なお、上記の実施の形態においては、防草シート１３のＹ方向の一方側の端部３３は、第１の内側壁面２１ａとＹ方向の位置が揃うように構成されていることとしたが、これに限らず、防草シート１３のＹ方向の一方側の端部３３が、第１の内側壁面２１ａよりも空間１９側に出てもよいし、第１の頂面２１ｃ上に端部３３が位置するようにしてもよい。
【００５５】
今回開示された実施の形態はすべての点で例示であって、どのような面からも制限的なものではないと理解されるべきである。本考案の範囲は上記した説明ではなく、実用新案登録請求の範囲によって規定され、実用新案登録請求の範囲と均等の範囲、および意味内でのすべての変更が含まれることが意図される。
【産業上の利用可能性】
【００５６】
本考案に係る防草構造体は、長期にわたって防草効果を確実に得ることが求められる場合に、特に有利に適用され得る。
【符号の説明】
【００５７】
１１ａ，１１ｂ，１１ｃ  防草構造体、１２  Ｕ字溝、１３  防草シート、１４ａ，１４ｂ，１４ｃ  取り付け具、１５ａ，１５ｂ，１５ｃ  ボルト、１６  第１の側壁部、１７  第２の側壁部、１８  底壁部、１９  空間、２１ａ  第１の内側壁面、２１ｂ  第１の外側壁面、２１ｃ  第１の頂面、２２ａ  第２の内側壁面、２２ｂ  第２の外側壁面、２２ｃ  第２の頂面、２３ａ  第１の底壁面、２３ｂ  第２の底壁面、２５，２６，４３ａ，４３ｂ，４３ｃ，４４ａ，４４ｂ，４４ｃ，４５ａ，４５ｂ，４５ｃ，４６ａ，４６ｂ，４６ｃ  端面、２７ａ，２７ｂ，２７ｃ  ボルト穴、３１  第１の面、３２  第２の面、３３，３４，３５，３６  端部、３７ａ，３７ｂ，３７ｃ  第１貫通孔、３８  第１領域、４１ａ，４１ｂ，４１ｃ  第３の頂面、４２ａ，４２ｂ，４２ｃ  底面、４７ａ，４７ｂ，４７ｃ  第２貫通孔、５１  頭部、５２  胴部、６１  地面、６２  地表、６３  凹溝。
【図１】
0003231554.tif 000003
【図２】
0003231554.tif 000004
【図３】
0003231554.tif 000005
【図４】
0003231554.tif 000006
【図５】
0003231554.tif 000007
【図６】
0003231554.tif 000008
【図７】
0003231554.tif 000009
【図８】
0003231554.tif 000010
【図９】
0003231554.tif 000011
【図１０】
0003231554.tif 000012
【図１１】
0003231554.tif 000013
【図１２】
0003231554.tif 000014
【手続補正書】
【提出日】令和3年2月3日(2021.2.3)
【手続補正１】
【補正対象書類名】実用新案登録請求の範囲
【補正対象項目名】全文
【補正方法】変更
【補正の内容】
【実用新案登録請求の範囲】
【請求項１】
第１の頂面および第１の内側壁面を有する第１の側壁部と、
第２の頂面および前記第１の内側壁面と対向する第２の内側壁面を有し、前記第１の側壁部と間隔をあけて配置される第２の側壁部と、
前記第１の内側壁面および前記第２の内側壁面と連なって配置される第１の底壁面を有し、前記第１の側壁部および前記第２の側壁部と連なって配置される底壁部と、を含むＵ字溝と、
前記第１の頂面上に配置される第１領域を有する防草シートと、
棒状であって、第３の頂面および前記第１領域と対向する底面を有し、前記底面と前記第１の頂面とが対向するように前記第１の頂面に取り付けられる取り付け具と、
前記第１領域を前記第１の頂面と前記取り付け具との間に挟み込むようにして、前記第１の側壁部と前記取り付け具とを連結する連結具と、を備え、
前記第１の底壁面から前記第１の頂面までの長さは、前記第１の底壁面から前記第２の頂面までの長さよりも短い、防草構造体。
【請求項２】
前記Ｕ字溝の長手方向に垂直な断面において、前記取り付け具の外形形状は、矩形状である、請求項１に記載の防草構造体。
【請求項３】
前記第１の底壁面から前記第２の頂面までの長さは、前記第１の底壁面から前記第３の頂面までの長さと、等しい、請求項１または請求項２に記載の防草構造体。
【請求項４】
前記取り付け具には、前記Ｕ字溝の長手方向に交差する方向に貫通する排水孔が形成されている、請求項１から請求項３のいずれか１項に記載の防草構造体。
【請求項５】
前記排水孔は、前記Ｕ字溝の長手方向に間隔をあけて複数形成されている、請求項４に記載の防草構造体。
【請求項６】
前記排水孔は、前記底面に開口を有するよう形成されている、請求項４または請求項５に記載の防草構造体。
【請求項７】
前記取り付け具の材質は、コンクリート、木、樹脂および金属のうちの少なくともいずれか一つである、請求項１から請求項６のいずれか１項に記載の防草構造体。
【請求項８】
前記連結具は、それぞれ頭部およびねじ山が設けられた胴部を含み、前記Ｕ字溝の長手方向に間隔をあけて配置される複数のボルトを含み、
前記第１の頂面には、前記Ｕ字溝の長手方向に間隔をあけて配置され、前記ボルトを締結する複数のボルト穴が形成されており、
前記第１領域には、前記Ｕ字溝の長手方向に間隔をあけて配置され、前記胴部が通過可能な複数の第１貫通孔が形成されており、
前記取り付け具には、前記Ｕ字溝の長手方向に前記複数の第１貫通孔と同じ間隔をあけて配置され、前記胴部が通過可能な複数の第２貫通孔が形成されている、請求項１から請求項７のいずれか１項に記載の防草構造体。